Podtech/llm-jp-corpus-v4-ja_patent huggingface dataset:
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
有利状態に制御可能な遊技機であって、
表示手段と、
演出制御手段と、を備え、
前記演出制御手段は、
装飾識別情報の可変表示を前記表示手段を用いて実行可能であり、
特殊リーチで前記有利状態に制御されることを報知することが可能であり、
前記特殊リーチで前記有利状態に制御されないことを報知することが可能であり、
前記特殊リーチで前記有利状態に制御されることを報知する場合に、前記表示手段に前記特殊リーチに対応するタイトル表示を表示させ、前記有利状態に制御される期待度を示唆する期待度示唆要素を表示させる制御を実行し、
前記特殊リーチで前記有利状態に制御されないことを報知する場合に、前記表示手段に前記タイトル表示を表示させ、前記期待度示唆要素を表示させる制御を実行し、
前記期待度示唆要素を表示させる制御は、実行している前記装飾識別情報の可変表示よりも大きいサイズの前記期待度示唆要素を表示させた後に前記タイトル表示の下部に徐々に配置表示させる制御である、遊技機。
【手続補正２】
【補正対象書類名】明細書
【補正対象項目名】０００７
【補正方法】変更
【補正の内容】
【０００７】
そのような遊技機において、引用文献１には、所定状態に関する関連表示（例えば、チャンスゾーンテロップ９０２）を表示することが記載されている（例えば、特許文献１参照）。また、リーチ演出の開始時に、リーチ演出の種類を報知するタイトル表示を行う遊技機が提案されている（例えば、特許文献２参照）。
【手続補正３】
【補正対象書類名】明細書
【補正対象項目名】０００８
【補正方法】変更
【補正の内容】
【０００８】
【特許文献１】特開２０１７−７０７４３号公報
【特許文献２】特開２０１６−１０１４２８号公報
【手続補正４】
【補正対象書類名】明細書
【補正対象項目名】０００９
【補正方法】変更
【補正の内容】
【０００９】
しかしながら、特許文献１および特許文献２の双方の機能や構成を有する遊技機の商品性を高める余地があった。
【手続補正５】
【補正対象書類名】明細書
【補正対象項目名】００１０
【補正方法】変更
【補正の内容】
【００１０】
そこで、本発明は、上記の実状に鑑みてなされたものであり、商品性を高めた遊技機を提供することを目的とする。
【手続補正６】
【補正対象書類名】明細書
【補正対象項目名】００１１
【補正方法】変更
【補正の内容】
【００１１】
（Ａ）本発明による遊技機は、
有利状態に制御可能な遊技機であって、
表示手段と、
演出制御手段と、を備え、
前記演出制御手段は、
装飾識別情報の可変表示を前記表示手段を用いて実行可能であり、
特殊リーチで前記有利状態に制御されることを報知することが可能であり、
前記特殊リーチで前記有利状態に制御されないことを報知することが可能であり、
前記特殊リーチで前記有利状態に制御されることを報知する場合に、前記表示手段に前記特殊リーチに対応するタイトル表示を表示させ、前記有利状態に制御される期待度を示唆する期待度示唆要素を表示させる制御を実行し、
前記特殊リーチで前記有利状態に制御されないことを報知する場合に、前記表示手段に前記タイトル表示を表示させ、前記期待度示唆要素を表示させる制御を実行し、
前記期待度示唆要素を表示させる制御は、実行している前記装飾識別情報の可変表示よりも大きいサイズの前記期待度示唆要素を表示させた後に前記タイトル表示の下部に徐々に配置表示させる制御であることを特徴とする。
また、（１）本発明による他の態様の遊技機は、遊技を行う遊技機であって、所定状態に関する関連表示（例えば、演出解説画像２００ｃや演出解説画像２００ｅ）を表示可能な表示手段（例えば、演出表示装置９）を備え、表示手段は、複数の方向に延びるように形成された関連表示を表示可能である（例えば、ジグザグ状の矢印型領域を含む態様により構成された演出解説画像２００ｃや、鉛直方向に延びた領域と水平方向に延びた領域（厳密には、水平方向に延びるように見える平面上に描写された領域）とを含む態様により構成された演出解説画像２００ｅなど。図３５，図３６参照）ことを特徴とする。
そのような構成によれば、関連表示を効果的に表示することができ、演出効果を高めることができる。
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
ＰＩＵドックと、
長さＬ１を有する第一の光ファイバと長さＬ２を有する第二の光ファイバによって前記ＰＩＵドックに光学的に結合された撮像エンジンと、
を備える画像データ収集システムであって、
前記撮像エンジンが、干渉計を備え、
前記干渉計が、
参照アームであって、第一の位置で光源からの光を受光し、第二の位置で終端し、前記第一の光ファイバが前記第二の位置と前記ＰＩＵドックの間に配置されている、前記参照アームと、
サンプルアームであって、前記第一の位置で前記光源からの光を受光し、第三の位置で終端し、前記第二の光ファイバが前記第三の位置と前記ＰＩＵドックの間に配置されており、前記長さＬ１と前記長さＬ２が５メートル以上である、前記サンプルアームと、
を備える、
画像データ収集システム。
【請求項２】
光学断層撮影撮像プローブと適合するように構成された第一のロータリーカプラーをさらに備え、前記第一のロータリーカプラーは、前記サンプルアームと光通信する、請求項１に記載の画像データ収集システム。
【請求項３】
前記参照アームの光路の長さを調節するように構成された光学素子をさらに備え、前記光学素子は、前記参照アームと光通信し、透過型または反射型である、請求項１に記載の画像データ収集システム。
【請求項４】
前記参照アームと光通信する可変パス長空隙をさらに備える、請求項１に記載の画像データ収集システム。
【請求項５】
超音波データを含む電気信号を受信し、前記電気信号を光信号に変換するように構成された電気−光コンバータを有する超音波システムをさらに備える、請求項１に記載の画像データ収集システム。
【請求項６】
ファイバーブラッググレーティングおよび光検出器をさらに備え、前記参照アームが前記ファイバーブラッググレーティングおよび前記光検出器と光通信する、請求項５に記載の画像データ収集システム。
【請求項７】
前記第一の光ファイバーおよび前記第二の光ファイバーの双方が共通の保護鞘内に配置されている、請求項１に記載の画像データ収集システム。
【請求項８】
前記共通の保護鞘内での前記第一の光ファイバーおよび前記第二の光ファイバーの長さおよび位置が、前記光学断層撮影撮像プローブにより収集されたデータを使用して形成した画像の劣化を軽減するよう構成されている、請求項７に記載の画像データ収集システム。
【請求項９】
前記保護鞘内に配置された導電性のワイヤーをさらに備える、請求項７に記載の画像データ収集システム。
【請求項１０】
前記共通の保護鞘が５メートルより大きい長さを有し、前記参照アームのセクションおよび前記サンプルアームのセクションは、各セクションが類似した環境条件にさらされるように、前記保護鞘内に少なくとも部分的に配置される、請求項７に記載の画像データ収集システム。
【請求項１１】
画像データを収集するよう構成されたサーバーと、ディスプレイを含む携帯型無線制御ステーションと、一つまたは複数の入力装置と、をさらに備え、前記携帯型制御ステーションは、前記サーバーと前記光学断層撮影撮像プローブによる画像データ収集とのうち、少なくとも一つを制御するよう構成されている、請求項７に記載の画像データ収集システム。
【請求項１２】
前記サーバーが二つのチャンネルを有するデータ取得装置を備え、一つのチャンネルが、可変周波数外部クロックに従いデータを取得するように構成されている、請求項１１に記載の画像データ収集システム。
【請求項１３】
前記超音波システムは、長さＬ３の第三の光ファイバーを備え、前記第三の光ファイバーは、前記干渉計が配置された位置と第一のロータリーカプラーが配置された位置との間で前記光信号を伝導するよう構成され、前記第三の光ファイバーは、第一の端部および第二の端部を有する、請求項５に記載の画像データ収集システム。
【請求項１４】
前記光検出器が前記ファイバーブラッググレーティングから受信した波長に対応して、超音波データ収集およびＯＣＴデータ収集を同期させるためのパルスを伝送するように構成されている、請求項６に記載の画像データ収集システム。
【請求項１５】
一つまたは複数のスイッチと、
サーバーと、
一つまたは複数のインターフェースシステムと、をさらに備え、
各インターフェースシステムは、それぞれのスイッチと通信し、光コヒーレンス断層撮影プローブ、圧力ワイヤーまたは超音波プローブと適合するように構成され、
前記サーバーは、各インターフェースシステムからデータを収集するように構成され、
各スイッチは、一つまたは複数の信号をルーティングする、
請求項１に記載の画像データ収集システム。
【請求項１６】
第一のアーム、第二のアームおよび第三のアームを有する光カプラーであって、前記光カプラーの前記第一のアームが、前記一つまたは複数のスイッチと光通信する、前記光カプラーと、
前記光カプラーの前記第二のアームと光通信するミラーと、
第一のポート、第二のポートおよび第三のポートを有するサーキュレータであって、前記第一のポートが前記光カプラーと光通信し、前記第二のポートが前記ファイバーブラッググレーティングと光通信し、前記第三のポートが光検出器と光通信する、前記サーキュレータと、をさらに備え、
前記一つまたは複数の信号内に波長が発生する際、前記光検出器がトリガー信号を生成する、
請求項１５に記載の画像データ収集システム。
【請求項１７】
タッチスクリーンを備えるユーザーインタフェース装置と、前記光学断層撮影撮像プローブと圧力トランスデューサベースの装置との間で選択するように構成された選択ユニットと、グラフィカルユーザーインタフェースと、をさらに備え、前記ユーザーインタフェース装置は、画像データまたは圧力データに基づくパラメータを使用して生成された画像を表示し、ユーザー入力を受信するよう構成されている、請求項１５に記載の画像データ収集システム。
【請求項１８】
前記ユーザーインタフェース装置は、前記光学断層撮影撮像プローブからデータを受信するように構成されたサーバーと電気通信または光通信する携帯端末の構成要素である、請求項１７に記載の画像データ収集システム。
【請求項１９】
前記第三の光ファイバーの前記第一の端部と光通信する第一の波長分割多重フィルターと、前記第三の光ファイバーの前記第二の端部と光通信する第二の波長分割多重フィルターと、をさらに備える、請求項１３に記載の画像データ収集システム。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
コンピュータ・グラフィックス空間で人間の分身として動作する仮想的な人物である、ユーザのアバターを生成する生成部を用いて、前記ユーザの身体活動を支援する身体活動支援システムであって、
前記生成部からの情報に基づいて、ユーザ・アバターの動作情報を計算する第１計算部と、
前記生成部からの情報に基づいて、前記ユーザの身体活動の相手となる相手アバターの動作情報を計算する第２計算部と、
前記ユーザ・アバターの動作情報に、前記相手アバターの動作情報を連動させる連動部を備える身体活動支援システム。
【請求項２】
前記ユーザ・アバターの動作情報と、前記ユーザ・アバターの動作情報に連動した前記相手アバターの動作情報を再生する再生部を備える請求項１に記載の身体活動支援システム。
【請求項３】
前記ユーザ・アバターの動作情報に基づいて、前記ユーザ・アバターから仮想物体へのインタラクションを計算する仮想物体動作調整部を備える請求項１に記載の身体活動支援システム。
【請求項４】
前記仮想物体動作調整部は、前記相手アバターの動作情報に基づいて、前記相手アバターから前記仮想物体へのインタラクションを計算する請求項３に記載の身体活動支援システム。
【請求項５】
コンピュータ・グラフィックス空間で人間の分身として動作する仮想的な人物である、ユーザのアバターを生成する生成部を用いて、前記ユーザの身体活動を支援する身体活動支援システムであって、
前記生成部からの情報に基づいて、ユーザ・アバターの動作情報を計算する第１計算部と、
前記生成部からの情報に基づいて、前記ユーザの身体活動の相手となる相手アバターの動作情報を計算する第２計算部と、
前記ユーザ・アバターの動作情報、及び、前記相手アバターの動作情報に応じて、仮想物体へのインタラクションを計算する仮想物体動作調整部を備える身体活動支援システム。
【請求項６】
コンピュータ・グラフィックス空間で人間の分身として動作する仮想的な人物である、ユーザのアバターを生成する生成部を用いて、前記ユーザの身体活動を支援する身体活動支援方法であって、
前記生成部からの情報に基づいて、ユーザ・アバターの動作情報を計算し、
前記生成部からの情報に基づいて、前記ユーザの身体活動の相手となる相手アバターの動作情報を計算し、
前記ユーザ・アバターの動作情報に、前記相手アバターの動作情報を連動させる身体活動支援方法。
【請求項７】
コンピュータ・グラフィックス空間で人間の分身として動作する仮想的な人物である、ユーザのアバターを生成する生成部を用いて、前記ユーザの身体活動を支援する身体活動支援方法であって、
前記生成部からの情報に基づいて、ユーザ・アバターの動作情報を計算し、
前記生成部からの情報に基づいて、前記ユーザの身体活動の相手となる相手アバターの動作情報を計算し、
前記ユーザ・アバターの動作情報、及び、前記相手アバターの動作情報に応じて、仮想物体へのインタラクションを計算する身体活動支援方法。
【請求項８】
コンピュータ・グラフィックス空間で人間の分身として動作する仮想的な人物である、ユーザのアバターを生成する生成部を用いて、前記ユーザの身体活動を支援する身体活動支援プログラムであって、
前記生成部からの情報に基づいて、ユーザ・アバターの動作情報を計算するステップと、
前記生成部からの情報に基づいて、前記ユーザの身体活動の相手となる相手アバターの動作情報を計算するステップと、
前記ユーザ・アバターの動作情報に、前記相手アバターの動作情報を連動させるステップと、
をコンピュータに実行させる身体活動支援プログラム。
【請求項９】
コンピュータ・グラフィックス空間で人間の分身として動作する仮想的な人物である、ユーザのアバターを生成する生成部を用いて、前記ユーザの身体活動を支援する身体活動支援プログラムであって、
前記生成部からの情報に基づいて、ユーザ・アバターの動作情報を計算するステップと、
前記生成部からの情報に基づいて、前記ユーザの身体活動の相手となる相手アバターの動作情報を計算するステップと、
前記ユーザ・アバターの動作情報、及び、前記相手アバターの動作情報に応じて、仮想物体へのインタラクションを計算するステップと、
をコンピュータに実行させる身体活動支援プログラム。
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
ゲームを実行可能な遊技制御手段と、前記ゲームに関連する演出を実行可能な演出制御手段と、を備える遊技機において、
前記ゲームに関連する演出を表示可能な表示手段と、
遊技者による操作を受け付け可能な操作手段と、
前記操作手段に設けられる発光手段と、を備え、
前記演出制御手段は、
前記操作手段の前記操作に対応して前記発光手段の態様を変化させることが可能であり、前記表示手段に、前記操作に対応する操作対応表示を表示させることが可能であることを特徴とする遊技機。
【手続補正２】
【補正対象書類名】明細書
【補正対象項目名】０００４
【補正方法】変更
【補正の内容】
【０００４】
しかしながら、従来の遊技機において、遊技の興趣を向上させる余地があった。
【手続補正３】
【補正対象書類名】明細書
【補正対象項目名】０００６
【補正方法】変更
【補正の内容】
【０００６】
本発明の代表的な一形態では、ゲームを実行可能な遊技制御手段と、前記ゲームに関連する演出を実行可能な演出制御手段と、を備える遊技機において、前記ゲームに関連する演出を表示可能な表示手段と、遊技者による操作を受け付け可能な操作手段と、前記操作手段に設けられる発光手段と、を備え、前記演出制御手段は、前記操作手段の前記操作に対応して前記発光手段の態様を変化させることが可能であり、前記表示手段に、前記操作に対応する操作対応表示を表示させることが可能である。
【手続補正書】
【提出日】令和2年11月28日(2020.11.28)
【手続補正１】
【補正対象書類名】特許請求の範囲
【補正対象項目名】全文
【補正方法】変更
【補正の内容】
【特許請求の範囲】
【請求項１】
荷物や子供を背負ったり抱えたりするときに背骨を押す力をつくり、その力で背骨を起こす筋力を補助するものである。
【請求項２】
背中上部と両肩と両脇に密着させることで、荷物や取付けた物を重心より上部の身体の近くに固定する物である。
【請求項３】
リュックサックの収納したり取付けたりする部分を背中だけでなくその前方にも設けて個々の荷物の配置を調整することで身体の重心の真上に荷物の重心を持ってこれる。
【請求項４】
ストックに荷物を収納したり取付けられる様にする。
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
吸込口から流体を吸い込み、吸い込んだ前記流体を吹出口から吹き出すモータ一体型流体機械において、
回転軸の中心に設けられる軸部と、
前記軸部を中心に回転する回転部と、
前記軸部の外周に設けられる外周部と、
前記回転部を回転させるモータと、を備え、
前記回転部は、前記軸部に回転自在に支持されることで、前記軸部側が固定端側となる一方で、前記外周部側が自由端側となり、
前記モータは、前記外周部から動力を与えて前記回転部を回転させる外周駆動のモータとなっており、
前記回転部は、
前記回転軸の周方向において並べて設けられる複数のブレードと、
複数の前記ブレードの外周側に設けられる回転外周部と、を有し、
前記モータは、
前記回転外周部に設けられる回転子側磁石と、
前記外周部に設けられ、前記回転子側磁石に対向して設けられる固定子側磁石と、を有し、
複数の前記ブレードのうち、一部の前記ブレードとなる第１ブレードにおける少なくとも所定の部位と、他の一部の前記ブレードとなる第２ブレードにおける少なくとも所定の部位とが、前記回転軸の軸方向において異なる位置となっており、
複数の前記ブレードは、前記第１ブレードが、前記回転軸の軸方向において、前記第２ブレードよりも吸込口側に設けられることで、前記回転軸の軸方向に多段に設けられ、
前記第２ブレードは、前記第１ブレードに比して、前記回転軸の周方向に対する角度であるピッチ角が大きくなっているモータ一体型流体機械。
【請求項２】
前記回転子側磁石と前記固定子側磁石とは、前記回転軸の軸方向に対向して設けられる請求項１に記載のモータ一体型流体機械。
【請求項３】
前記回転子側磁石と前記固定子側磁石とは、前記回転軸の径方向に対向して設けられる請求項１に記載のモータ一体型流体機械。
【請求項４】
前記第１ブレードと前記第２ブレードとは、前記回転軸の周方向において、交互に配置されている請求項１から３のいずれか１項に記載のモータ一体型流体機械。
【請求項５】
吸込口から流体を吸い込み、吸い込んだ前記流体を吹出口から吹き出すモータ一体型流体機械において、
回転軸の中心に設けられる軸部と、
前記軸部を中心に回転する回転部と、
前記軸部の外周に設けられる外周部と、
前記回転部を回転させるモータと、を備え、
前記回転部は、前記軸部に回転自在に支持されることで、前記軸部側が固定端側となる一方で、前記外周部側が自由端側となり、
前記モータは、前記外周部から動力を与えて前記回転部を回転させる外周駆動のモータとなっており、
前記回転部は、
前記回転軸の周方向において並べて設けられる複数のブレードと、
複数の前記ブレードの外周側に設けられる回転外周部と、を有し、
前記モータは、
前記回転外周部に設けられる回転子側磁石と、
前記外周部に設けられ、前記回転子側磁石に対向して設けられる固定子側磁石と、を有し、
複数の前記ブレードのうち、一部の前記ブレードとなる第１ブレードにおける少なくとも所定の部位と、他の一部の前記ブレードとなる第２ブレードにおける少なくとも所定の部位とが、前記回転軸の軸方向において異なる位置となっており、
複数の前記ブレードが回転することにより、前記吸込口側の端部において形成される面を回転面とすると、
複数の前記ブレードは、前記第１ブレードの外周側の部位における前記回転面と、前記第２ブレードの外周側の部位における前記回転面とが同一面となり、前記第１ブレードの内周側の部位が、前記回転軸の軸方向において、前記第２ブレードの内周側の部位よりも吸込口側に設けられることで、前記第１ブレードの内周側の部位における前記回転面と、前記第２ブレードの内周側の部位における前記回転面とが非同一面となるモータ一体型流体機械。
【請求項６】
前記回転軸の径方向において、前記ブレードの全長をＲとすると、非同一面となる前記ブレードの内周側の部位の長さは、０．５Ｒ以下である請求項５に記載のモータ一体型流体機械。
【請求項７】
請求項１から６のいずれか１項に記載のモータ一体型流体機械と、
前記モータ一体型流体機械から発生する推力によって移動する機体と、を備える垂直離着陸機。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
第１機器（３００）と第２機器（４００）との間の電流の通電と遮断を制御する通電制御装置（２００）であって、
前記第１機器に接続される第１正極端子（２００ａ）および第１負極端子（２００ｃ）と、
前記第２機器に接続される第２正極端子（２００ｂ）および第２負極端子（２００ｄ）と、
前記第１正極端子と前記第２正極端子とを接続する正極バス（２００ｅ）と、
前記第１負極端子と前記第２負極端子とを接続する負極バス（２００ｆ）と、
前記正極バスの前記第１正極端子側に設けられた第１半導体スイッチ（２１１）、および、前記第１正極端子にカソード電極が接続される態様で、前記第１半導体スイッチに並列接続された第１並列ダイオード（２１２）を備える第１開閉部（２１０）と、
前記正極バスの前記第２正極端子側に設けられた第２半導体スイッチ（２２１）、および、前記第２正極端子にカソード電極が接続される態様で、前記第２半導体スイッチに並列接続された第２並列ダイオード（２２２）を備える第２開閉部（２２０）と、
前記正極バスを流れる電流が正常と判定した場合に前記第１半導体スイッチと前記第２半導体スイッチそれぞれを通電状態にし、前記正極バスを流れる電流が異常と判定した場合に前記第１半導体スイッチと前記第２半導体スイッチそれぞれを遮断状態にする制御部（２５０）と、
前記正極バスにおける前記第１半導体スイッチと前記第２半導体スイッチとの間の中点と前記負極バスとを接続する中継バス（２００ｇ）と、
前記正極バスにおける前記第１半導体スイッチと前記第２半導体スイッチとの間の中点にカソード電極が接続される態様で、前記中継バスに設けられる還流ダイオード（２３０）と、
前記中継バスに設けられた逆接防止回路（２４０）と、を有し、
前記逆接防止回路は、
前記還流ダイオードのアノード電極と接続され、前記還流ダイオードと直列接続される態様で前記中継バスに設けられた逆接防止スイッチ（２４１）と、
前記還流ダイオードのカソード電極と前記逆接防止スイッチの制御電極との間に接続された抵抗（２４３）と、
前記抵抗と前記逆接防止スイッチの制御電極との間の中点と前記還流ダイオードのアノード電極と前記逆接防止スイッチとの間の中点との間に接続されたコンデンサ（２４４）と、を有し、
前記逆接防止スイッチは、前記抵抗と前記逆接防止スイッチの制御電極との間の中点側の電位が前記還流ダイオードのアノード電極と前記逆接防止スイッチとの間の中点側の電位よりも高い場合に通電状態になる通電制御装置。
【手続補正２】
【補正対象書類名】明細書
【補正対象項目名】０００６
【補正方法】変更
【補正の内容】
【０００６】
開示の１つは、第１機器（３００）と第２機器（４００）との間の電流の通電と遮断を制御する通電制御装置（２００）であって、
第１機器に接続される第１正極端子（２００ａ）および第１負極端子（２００ｃ）と、
第２機器に接続される第２正極端子（２００ｂ）および第２負極端子（２００ｄ）と、
第１正極端子と第２正極端子とを接続する正極バス（２００ｅ）と、
第１負極端子と第２負極端子とを接続する負極バス（２００ｆ）と、
正極バスの第１正極端子側に設けられた第１半導体スイッチ（２１１）、および、第１正極端子にカソード電極が接続される態様で、第１半導体スイッチに並列接続された第１並列ダイオード（２１２）を備える第１開閉部（２１０）と、
正極バスの第２正極端子側に設けられた第２半導体スイッチ（２２１）、および、第２正極端子にカソード電極が接続される態様で、第２半導体スイッチに並列接続された第２並列ダイオード（２２２）を備える第２開閉部（２２０）と、
正極バスを流れる電流が正常と判定した場合に第１半導体スイッチと第２半導体スイッチそれぞれを通電状態にし、正極バスを流れる電流が異常と判定した場合に第１半導体スイッチと第２半導体スイッチそれぞれを遮断状態にする制御部（２５０）と、
正極バスにおける第１半導体スイッチと第２半導体スイッチとの間の中点と負極バスとを接続する中継バス（２００ｇ）と、
正極バスにおける第１半導体スイッチと第２半導体スイッチとの間の中点にカソード電極が接続される態様で、中継バスに設けられる還流ダイオード（２３０）と、
中継バスに設けられた逆接防止回路（２４０）と、を有し、
逆接防止回路は、
還流ダイオードのアノード電極と接続され、還流ダイオードと直列接続される態様で中継バスに設けられた逆接防止スイッチ（２４１）と、
還流ダイオードのカソード電極と逆接防止スイッチの制御電極との間に接続された抵抗（２４３）と、
抵抗と逆接防止スイッチの制御電極との間の中点と還流ダイオードのアノード電極と逆接防止スイッチとの間の中点との間に接続されたコンデンサ（２４４）と、を有し、
逆接防止スイッチは、抵抗と逆接防止スイッチの制御電極との間の中点側の電位が還流ダイオードのアノード電極と逆接防止スイッチとの間の中点側の電位よりも高い場合に通電状態になる。
【手続補正書】
【提出日】令和3年6月21日(2021.6.21)
【手続補正１】
【補正対象書類名】明細書
【補正対象項目名】０００９
【補正方法】変更
【補正の内容】
【０００９】
本開示の一例である車載用電源装置は、オン信号とオフ信号とが交互に繰り返される制御信号が与えられることに応じてオンオフ動作するスイッチング素子を備え、前記スイッチング素子のオンオフ動作により第１導電路に印加された電圧を昇圧又は降圧して第２導電路に電圧を印加する電圧変換部と、前記第２導電路に印加された第１電圧の値を検出する第１電圧検出部と、前記第２導電路と負荷との間に介在する負荷側導電路に印加された第２電圧の値を検出する第２電圧検出部と、前記第２電圧検出部で検出された前記第２電圧の値に基づいて目標電圧値を設定する目標電圧設定部と、前記第１電圧検出部で検出された前記第１電圧の値に基づいて前記第２導電路に印加される前記第１電圧の値を前記目標電圧値に近づけるように前記制御信号のデューティを更新するフィードバック演算を繰り返し行い、前記デューティが更新される毎に、更新された前記デューティの前記制御信号を前記スイッチング素子に向けて出力する制御部と、を有する。
このように構成されていれば、目標電圧設定部は、電圧変換部からの出力電圧が印加される第２導電路よりも負荷側の経路（負荷側導電路）の電圧値に基づいて目標電圧値を設定することができる。したがって、第２導電路と負荷側導電路の物理的な特性が異なっていたとしても、負荷に印加される電圧に適した目標電圧値を応答性良く設定することができる。
【手続補正２】
【補正対象書類名】明細書
【補正対象項目名】００１１
【補正方法】変更
【補正の内容】
【００１１】
本開示の一例である車載用電源装置において、目標電圧設定部が目標電圧値を更新する周期は、制御部がデューティを更新する周期よりも大きくてもよい。
このように構成されていれば、デューティについては周期を短く設定して更新頻度を大きくすることができる。一方で、目標電圧値についてはデューティの更新周期よりも大きい周期で更新することができるため、目標電圧値の更新に要する処理負担を抑制することができる。
【手続補正３】
【補正対象書類名】明細書
【補正対象項目名】００６１
【補正方法】変更
【補正の内容】
【００６１】
目標電圧設定部２５０は、図５に示すように、第２偏差算出部５２と、乗算部２５４と、加算部２５６と、遅延部２５８とを有する。
【手続補正４】
【補正対象書類名】明細書
【補正対象項目名】００７６
【補正方法】変更
【補正の内容】
【００７６】
乗算部３６６は、遅延部３６４の出力値である目標電圧値Ｖｔ［ｎ−１］を入力値とする。乗算部３６６は、遅延部３６４の出力値である目標電圧値Ｖｔ［ｎ−１］に予め設定された係数ａ１を乗算し、この乗算値を加算部３５６に対する出力値とする。なお、ｂ０、ｂ１、ａ１は、所望のフィルタ特性を実現するように任意の値に設定すればよい。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
磁性体からなるロータコア（２３）と、
前記ロータコアの磁石挿入孔（２４）に設けられた永久磁石（２５）と、
前記磁石挿入孔の壁面と前記永久磁石との間に設けられた緩衝材（３１）と、
を備え、
前記緩衝材は、前記永久磁石に対する径方向外側および径方向内側には設けられることなく、前記永久磁石に対する回転方向両側において少なくとも前記磁石挿入孔の壁面と前記永久磁石との間の距離が最も狭くなっている箇所（３３）に設けられ、
前記緩衝材は、前記ロータコアの軸方向において前記磁石挿入孔の磁石挿入側の一端部（３５）に設けられている、埋込磁石型ロータ。
【請求項２】
前記ロータコアおよび前記永久磁石に対する前記緩衝材の回転方向の固定強度は、ステータ（１３）の電磁力により前記緩衝材に作用する回転方向の最大の磁気力よりも小さい請求項１に記載の埋込磁石型ロータ。
【請求項３】
前記磁石挿入孔を区画する回転方向両側の壁部は、当該壁部の径方向内側部分から前記永久磁石側に突き出す突起（３２）を有し、
前記緩衝材は、前記突起と前記永久磁石との間に設けられている請求項１または２に記載の埋込磁石型ロータ。
【請求項４】
前記永久磁石の軸方向長さ（Ｌｍ）に対する前記緩衝材の軸方向長さ（Ｌｂ）の割合は、３０％以上である請求項１〜３のいずれか一項に記載の埋込磁石型ロータ。
【手続補正２】
【補正対象書類名】明細書
【補正対象項目名】０００６
【補正方法】変更
【補正の内容】
【０００６】
本発明の埋込磁石型ロータは、磁性体からなるロータコア（２３）と、ロータコアの磁石挿入孔（２４）に設けられた永久磁石（２５）と、永久磁石に対する径方向外側および径方向内側には設けられることなく、永久磁石に対する回転方向両側において少なくとも磁石挿入孔の壁面と永久磁石との間の距離が最も狭くなっている箇所（３３）に設けられた緩衝材（３１）とを備える。緩衝材は、ロータコアの軸方向において磁石挿入孔の磁石挿入側の一端部（３５）に設けられている。
【手続補正書】
【提出日】令和3年1月19日(2021.1.19)
【手続補正１】
【補正対象書類名】特許請求の範囲
【補正対象項目名】請求項１
【補正方法】変更
【補正の内容】
【請求項１】
磁石挿入孔（２４）を有するロータコア（２３）と、
前記磁石挿入孔に設けられ、横断面形状が長方形であり、厚み方向が前記ロータコアの径方向に沿うように配置されている永久磁石（２５）と、
前記磁石挿入孔に設けられ、前記永久磁石を前記磁石挿入孔の壁面に押しつけている弾性部材（３２）と、
を備え、
前記ロータコアは、前記磁石挿入孔に対して径方向内側に位置する内側磁性部（２６）と、前記磁石挿入孔に対して径方向外側に位置し、磁極中心から周方向に離れるに従って前記ロータコアの外接円から径方向内側に離れるように形成された突極部（２７）と、前記突極部の周方向両側から前記内側磁性部側に延出しているブリッジ部（２８）と、を有し、
前記ブリッジ部は、前記突極部から周方向へ延出する周方向ブリッジ部（３５）と、前記周方向ブリッジ部から径方向内側へ延出する径方向ブリッジ部（３６）とを有し、
前記永久磁石は、前記内側磁性部に接触するとともに前記突極部に非接触であり、
前記永久磁石に対して周方向両側には、前記永久磁石の径方向外側と前記ブリッジ部とが非接触になるように、周方向空隙部（３１）が形成され、
前記弾性部材は、前記永久磁石の両側にある２つの前記周方向空隙部のうち少なくとも一方に配置されるとともに前記径方向ブリッジ部よりも径方向内側に配置され、前記永久磁石を径方向に付勢することなく周方向に付勢して固定している埋込磁石型ロータ。
【手続補正２】
【補正対象書類名】明細書
【補正対象項目名】０００８
【補正方法】変更
【補正の内容】
【０００８】
ロータコアは、磁石挿入孔に対して径方向内側に位置する内側磁性部（２６）と、磁石挿入孔に対して径方向外側に位置し、磁極中心から周方向に離れるに従ってロータコアの外接円から径方向内側に離れるように形成された突極部（２７）と、突極部の周方向両側から内側磁性部側に延出しているブリッジ部（２８）と、を有している。ブリッジ部は、突極部から周方向へ延出する周方向ブリッジ部（３５）と、周方向ブリッジ部から径方向内側へ延出する径方向ブリッジ部（３６）とを有している。永久磁石は、内側磁性部に接触するとともに突極部に非接触である。永久磁石に対して周方向両側には、永久磁石の径方向外側とブリッジ部とが非接触になるように、周方向空隙部（３１）が形成されている。弾性部材は、永久磁石の両側にある２つの周方向空隙部のうち少なくとも一方に配置されるとともに径方向ブリッジ部よりも径方向内側に配置され、永久磁石を径方向に付勢することなく周方向に付勢して固定している。
【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
バッテリの正極端子に接続される正極電源端子と、
前記バッテリの負極端子に接続される負極電源端子と、
前記バッテリの充放電経路の電圧と予め設定された充放電判定電圧に基づいて、前記バッテリに放電電流が流れている放電状態と、前記バッテリに充電電流が流れている充電状態と、を判定する充放電判定回路と、
充電禁止状態かつ前記放電状態である場合に放電制御ＦＥＴ及び充電制御ＦＥＴをオンし、前記充電禁止状態かつ前記充電状態である場合に前記充電制御ＦＥＴをオフする制御回路及び放電禁止状態かつ前記充電状態である場合に前記放電制御ＦＥＴ及び前記充電制御ＦＥＴをオンし、前記放電禁止状態かつ前記放電状態である場合に前記放電制御ＦＥＴをオフする制御回路のうち、何れか一方の制御回路と、
を備えることを特徴とする充放電制御回路。
【請求項２】
前記充放電判定電圧が前記正極電源端子の電圧に設定されていることを特徴とする請求項１に記載の充放電制御回路。
【請求項３】
前記充放電判定電圧が前記負極電源端子の電圧に設定されていることを特徴とする請求項１に記載の充放電制御回路。
【請求項４】
請求項１から請求項３のいずれか一項に記載の充放電制御回路と、
前記バッテリの充電の制御を行なう充電制御ＦＥＴと、
前記バッテリの放電の制御を行なう放電制御ＦＥＴと、
を備えることを特徴とする充放電制御装置。
【請求項５】
前記バッテリと、
前記バッテリの充電の制御を行なう充電制御ＦＥＴと、
前記バッテリの放電の制御を行なう放電制御ＦＥＴと、
請求項１から請求項３のいずれか一項に記載の充放電制御回路と、
を備えることを特徴とするバッテリ装置。
【手続補正２】
【補正対象書類名】明細書
【補正対象項目名】００１７
【補正方法】変更
【補正の内容】
【００１７】
上述したように、特許文献１における充放電制御は、放電電流が充電制御ＦＥＴ１０２のボディダイオード１０２Ｄに発生する電圧により上昇したＶＭ端子の電圧が負荷検出電圧を上回るか否かにより、放電電流が流れているか否かの判定を行なっている。
これにより、充電禁止状態における放電電流が、ボディダイオード１０２Ｄを流れ続けることを防止し、消費電力の増加による充電制御ＦＥＴ１０２の発熱を抑制している。
【手続補正３】
【補正対象書類名】明細書
【補正対象項目名】００５０
【補正方法】変更
【補正の内容】
【００５０】
時刻Ｄ：この時点において、充電器２０２がバッテリ装置４０１から開放される。
これにより、オンしている放電制御ＦＥＴ１０１と、オフしている充電制御ＦＥＴ１０２のボディダイオード１０２Ｄとを介して放電電流が流れる。このため、放電制御ＦＥＴ１０１と充電制御ＦＥＴ１０２のボディダイオード１０２Ｄに発生する電圧により、外部負電圧入力端子３０１の電圧が上昇して充放電判定電圧ＶＪＤ以上となる。
【手続補正４】
【補正対象書類名】明細書
【補正対象項目名】００５４
【補正方法】変更
【補正の内容】
【００５４】
時刻Ｆ：この時点において、負荷２０１がバッテリ装置４０１から開放され、負荷２０１及び充電器２０２のいずれもが接続されない状態となる。
このため、放電電流が流れなくなり、外部負電圧入力端子３０１の電圧が下降し、放電制御ＦＥＴ１０１及び充電制御ＦＥＴ１０２に発生する電圧により、充放電判定電圧ＶＪＤを下回る。
そして、充放電判定回路３１４は、充電を示す信号を制御回路３１２に対して出力する。
【手続補正５】
【補正対象書類名】明細書
【補正対象項目名】００５６
【補正方法】変更
【補正の内容】
【００５６】
上述したように、本実施形態は、高温放電禁止温度ＴＨＤ＞検出温度≧高温充電禁止温度ＴＨＣで規定される充電禁止状態である間、充放電制御装置３６０が放電電流がながれているか否かの判定を、外部負電圧入力端子３０１の電圧が充放電判定電圧ＶＪＤ以上か否かによって判定するため、充電制御ＦＥＴ１０２のオン／オフ制御を行なわずに、充電禁止状態での放電制御が行なえる。
以上説明した充放電制御回路の動作は、低温放電禁止温度ＴＣＤ＜検出温度≦低温充電禁止温度ＴＣＣの場合においても同様に行われる。
【手続補正６】
【補正対象書類名】明細書
【補正対象項目名】００６６
【補正方法】変更
【補正の内容】
【００６６】
１０１…放電制御ＦＥＴ
１０１Ｄ，１０２Ｄ…ボディダイオード
１０２…充電制御ＦＥＴ
１０３…温度検出素子
２０１…負荷
２０２…充電器
３００…充放電制御回路
３０１…外部負電圧入力端子
３０２…充電制御端子
３０３…温度検出端子
３０４…放電制御端子
３０５…正極電源端子
３０６…負極電源端子
３１１…出力回路
３１２…制御回路
３１３…温度検出回路
３１４…充放電判定回路
３５１…外部正極端子
３５２…外部負極端子
３６０…充放電制御装置
４００…バッテリ
４０１…バッテリ装置
【手続補正７】
【補正対象書類名】図面
【補正対象項目名】図３
【補正方法】変更
【補正の内容】
【図３】
2020137287.tif 000001
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
演出を制御する演出制御手段と、を備え、
遊技の進行中に実行可能な演出として少なくとも第１演出と、第２演出とがあり、
前記第１演出または前記第２演出の実行を事前示唆する事前示唆演出の実行が可能であり、
前記事前示唆演出は、少なくとも、遊技の進行中における第１タイミングおよび前記第１タイミングより後の第２タイミングに実行可能であり、
前記事前示唆演出が前記第１タイミングにて実行された場合、少なくとも、前記第１タイミングより後の第３タイミング、または、前記第３タイミングより後の第４タイミングに終了可能であり、
前記事前示唆演出が前記第２タイミングにて実行された場合、少なくとも、前記第２タイミングより後の第５タイミング、または、前記第５タイミングより後の第６タイミングに終了可能であり、
前記事前示唆演出が前記第１タイミングで実行された場合、前記事前示唆演出の実行を契機として、前記第１演出が実行される場合と、前記第１演出が実行されない場合とがあり、
前記事前示唆演出が前記第２タイミングで実行された場合、前記事前示唆演出の実行を契機として、前記第２演出が実行される場合と、前記第２演出が実行されない場合とがあり、前記第１演出が実行不可であり、
前記事前示唆演出が前記第１タイミングで実行された場合、前記第３タイミングで終了する場合よりも前記第４タイミングで終了する場合に当りとなる期待度が高い遊技機。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
演出を制御する演出制御手段と、を備え、
遊技の進行中に実行可能な演出過程として、特殊演出の実行後に特定演出が実行される第１演出過程と、前記特殊演出が実行されずに前記特定演出が実行される第２演出過程とがあり、
前記第１演出過程において当りとなる期待度を示唆する第１予告演出が実行可能であり、前記第２演出過程において当りとなる期待度を示唆する第２予告演出が実行可能であり、前記第２予告演出は、前記第１演出過程において実行不可であり、
前記第２予告演出が実行される前記第２演出過程の実行後に当りとなる期待度は、前記第１予告演出が実行されない前記第１演出過程の実行後に当りとなる期待度よりも高く、前記第１予告演出が実行される前記第１演出過程の実行後に当りとなる期待度よりも低く、
前記第２予告演出は、前記第２演出過程において前記特定演出の実行前に複数のタイミングで実行可能であり、
前記第１予告演出は、当りを確定的に報知する演出である遊技機。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
遊技領域が区画形成される遊技盤を備える遊技機であって、
前記遊技盤は、複数の発光体が実装される表面と、発光体が実装されない裏面と、を有する基板を備え、
前記基板は、前記表面の略全域に形成される黒色または緑色からなる暗色の絶縁被膜と、前記表面に形成される表面側配線パターンと、前記裏面に形成される裏面側配線パターンと、前記表面側配線パターンと電気的に接続される表面側ランドと前記裏面側配線パターンと電気的に接続される裏面側ランドとを有するスルーホールと、を有し、
前記スルーホールは、前記発光体を含む電子部品を実装するために設けられるものではなく、
前記表面側ランドは、少なくとも外周縁部が前記絶縁被膜で覆われ、
前記スルーホールは、前記表面の開口部と前記裏面の開口部との少なくとも一方が開放され、
前記基板の前記表面を被覆するカバー体をさらに備え、
該カバー体の側壁部は、前記基板の前記表面よりも裏面側に延設される、
ことを特徴とする遊技機。
【手続補正２】
【補正対象書類名】明細書
【補正対象項目名】０００２
【補正方法】変更
【補正の内容】
【０００２】
従来より、遊技盤に表示装置が設けられている遊技機が提案されている（例えば、特許文献１参照）。
【手続補正３】
【補正対象書類名】明細書
【補正対象項目名】０００３
【補正方法】変更
【補正の内容】
【０００３】
【特許文献１】特開２０１７−２１７３８１号公報（段落［００２３］、［００３９］、及び図３〜図５）
【手続補正４】
【補正対象書類名】明細書
【補正対象項目名】０００４
【補正方法】変更
【補正の内容】
【０００４】
ところで、表示装置の基板に複数の発光体が実装される場合には、発光体が発した光が基板の表面で反射すると、一の発光体が発した光の色と他の発光体が発した光（一の発光体に対して他の発光体が発した光が外乱光となる。）の色とが混ざって視認し難いという問題があった。
【手続補正５】
【補正対象書類名】明細書
【補正対象項目名】０００５
【補正方法】変更
【補正の内容】
【０００５】
本発明は、上記した事情に鑑みなされたもので、その目的とするところは、外乱光による混色を減少することが可能な遊技機を提供することにある。
【手続補正６】
【補正対象書類名】明細書
【補正対象項目名】０００６
【補正方法】変更
【補正の内容】
【０００６】
上記した目的を達成するために、本発明においては、
遊技領域が区画形成される遊技盤を備える遊技機であって、
前記遊技盤は、複数の発光体が実装される表面と、発光体が実装されない裏面と、を有する基板を備え、
前記基板は、前記表面の略全域に形成される黒色または緑色からなる暗色の絶縁被膜と、前記表面に形成される表面側配線パターンと、前記裏面に形成される裏面側配線パターンと、前記表面側配線パターンと電気的に接続される表面側ランドと前記裏面側配線パターンと電気的に接続される裏面側ランドとを有するスルーホールと、を有し、
前記スルーホールは、前記発光体を含む電子部品を実装するために設けられるものではなく、
前記表面側ランドは、少なくとも外周縁部が前記絶縁被膜で覆われ、
前記スルーホールは、前記表面の開口部と前記裏面の開口部との少なくとも一方が開放され、
前記基板の前記表面を被覆するカバー体をさらに備え、
該カバー体の側壁部は、前記基板の前記表面よりも裏面側に延設される、
ことを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
このように、本発明によれば、外乱光による混色を減少することが可能な遊技機を提供することができる。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
遊技領域が区画形成される遊技盤を備える遊技機であって、
前記遊技盤は、複数の発光体が実装される表面と、発光体が実装されない裏面と、を有する基板を備え、
前記基板は、前記表面の略全域に形成される絶縁被膜と、前記表面に形成される表面側配線パターンと、前記裏面に形成される裏面側配線パターンと、前記表面側配線パターンと電気的に接続される表面側ランドと前記裏面側配線パターンと電気的に接続される裏面側ランドとを有するスルーホールと、を有し、
前記絶縁被膜は、白色であり、
前記表面側ランドは、少なくとも外周縁部が前記絶縁被膜で覆われ、
前記スルーホールは、前記表面の開口部と前記裏面の開口部との少なくとも一方が開放され、
前記基板の前記表面は、該表面側に設けられる透光性部材を通して視認可能とされる、
ことを特徴とする遊技機。
【手続補正２】
【補正対象書類名】明細書
【補正対象項目名】０００２
【補正方法】変更
【補正の内容】
【０００２】
近年、盤面ランプ等の発光手段が設けられている遊技盤を備える遊技機が提案されている（例えば、特許文献１参照）。
【手続補正３】
【補正対象書類名】明細書
【補正対象項目名】０００３
【補正方法】変更
【補正の内容】
【０００３】
【特許文献１】特開２０１７−２１７３８１号公報（段落［００２３］、及び図５）
【手続補正４】
【補正対象書類名】明細書
【補正対象項目名】０００４
【補正方法】変更
【補正の内容】
【０００４】
ところで、発光手段が実装される基板の表面は、発光手段が発した光が効率良く反射することができることが求められている。
【手続補正５】
【補正対象書類名】明細書
【補正対象項目名】０００５
【補正方法】変更
【補正の内容】
【０００５】
本発明は、上記した事情に鑑みなされたもので、その目的とするところは、基板の表面の反射率を均一とすることに寄与することが可能な遊技機を提供することにある。
【手続補正６】
【補正対象書類名】明細書
【補正対象項目名】０００６
【補正方法】変更
【補正の内容】
【０００６】
上記した目的を達成するために、本発明においては、
遊技領域が区画形成される遊技盤を備える遊技機であって、
前記遊技盤は、複数の発光体が実装される表面と、発光体が実装されない裏面と、を有する基板を備え、
前記基板は、前記表面の略全域に形成される絶縁被膜と、前記表面に形成される表面側配線パターンと、前記裏面に形成される裏面側配線パターンと、前記表面側配線パターンと電気的に接続される表面側ランドと前記裏面側配線パターンと電気的に接続される裏面側ランドとを有するスルーホールと、を有し、
前記絶縁被膜は、白色であり、
前記表面側ランドは、少なくとも外周縁部が前記絶縁被膜で覆われ、
前記スルーホールは、前記表面の開口部と前記裏面の開口部との少なくとも一方が開放され、
前記基板の前記表面は、該表面側に設けられる透光性部材を通して視認可能とされる、
ことを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
このように、本発明によれば、基板の表面の反射率を均一とすることに寄与することが可能な遊技機を提供することができる。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
遊技領域が区画形成される遊技盤を備える遊技機であって、
前記遊技盤は、発光体を含む複数の電子部品が実装される発光基板を備え、
前記発光基板は、発光体が実装される表面の略全域に形成される絶縁被膜と、
前記表面に銅箔により形成される表面側配線パターンと、
前記発光基板の裏面に銅箔により形成される裏面側配線パターンと、
前記表面側配線パターンと電気的に接続される表面側ランドと前記裏面側配線パターンと電気的に接続される裏面側ランドとを有するビアホール部と、を備え、
前記発光基板のうち特定発光基板は、発光体の発光が遊技者から視認可能に配置され、
前記特定発光基板に実装される電子部品は、同一実装面の銅箔により形成されるパッドと半田付けによって電気的に接続され、
前記特定発光基板に形成されるビアホール部は、電子部品を実装することなく前記表面側配線パターンと前記裏面側配線パターンとを電気的に接続するものであり、
前記特定発光基板のビアホール部に形成される表面側ランドは、少なくとも外周縁部が絶縁被膜で覆われ、
前記特定発光基板の発光体が実装される表面の前方に透光性部材が配置される、
ことを特徴とする遊技機。
【手続補正２】
【補正対象書類名】明細書
【補正対象項目名】０００２
【補正方法】変更
【補正の内容】
【０００２】
従来より、盤面ランプ等の発光手段が設けられている遊技盤、遊技進行や遊技利益に関する制御を行う主制御基板、遊技の進行に伴って実行する演出に関する制御を行うサブ制御基板等が設けられている遊技機が提案されている（例えば、特許文献１参照）。
【手続補正３】
【補正対象書類名】明細書
【補正対象項目名】０００３
【補正方法】変更
【補正の内容】
【０００３】
【特許文献１】特開２０１７−２１７３８１号公報（段落［００２３］、［００５１］、図２及び図５）
【手続補正４】
【補正対象書類名】明細書
【補正対象項目名】０００４
【補正方法】変更
【補正の内容】
【０００４】
ところで、発光手段が実装される基板には、配線パターンの引き回しによりスルーホールが形成されるところもあるため、このスルーホールの存在が遊技者に視認されることにより演出効果が低下する虞があった。
【手続補正５】
【補正対象書類名】明細書
【補正対象項目名】０００５
【補正方法】変更
【補正の内容】
【０００５】
本発明は、上記した事情に鑑みてなされたもので、その目的とするところは、演出効果の向上に寄与することができる遊技機を提供することにある。
【手続補正６】
【補正対象書類名】明細書
【補正対象項目名】０００６
【補正方法】変更
【補正の内容】
【０００６】
上記した目的を達成するために、本発明においては、
遊技領域が区画形成される遊技盤を備える遊技機であって、
前記遊技盤は、発光体を含む複数の電子部品が実装される発光基板を備え、
前記発光基板は、発光体が実装される表面の略全域に形成される絶縁被膜と、
前記表面に銅箔により形成される表面側配線パターンと、
前記発光基板の裏面に銅箔により形成される裏面側配線パターンと、
前記表面側配線パターンと電気的に接続される表面側ランドと前記裏面側配線パターンと電気的に接続される裏面側ランドとを有するビアホール部と、を備え、
前記発光基板のうち特定発光基板は、発光体の発光が遊技者から視認可能に配置され、
前記特定発光基板に実装される電子部品は、同一実装面の銅箔により形成されるパッドと半田付けによって電気的に接続され、
前記特定発光基板に形成されるビアホール部は、電子部品を実装することなく前記表面側配線パターンと前記裏面側配線パターンとを電気的に接続するものであり、
前記特定発光基板のビアホール部に形成される表面側ランドは、少なくとも外周縁部が絶縁被膜で覆われ、
前記特定発光基板の発光体が実装される表面の前方に透光性部材が配置される、
ことを特徴とする。
【手続補正７】
【補正対象書類名】明細書
【補正対象項目名】０００７
【補正方法】変更
【補正の内容】
【０００７】
上記構成によれば、演出効果の向上に寄与することが可能となる。
【手続補正８】
【補正対象書類名】明細書
【補正対象項目名】０００８
【補正方法】変更
【補正の内容】
【０００８】
このように、本発明によれば、演出効果の向上に寄与することが可能な遊技機を提供することができる。